(57)【要約】【課題】ユーザの嗜好に合ったコンテンツを推奨することができ、また、嗜好の近い人を見つけて、新たな気づきを提供できるコンテンツ予約装置、コンテンツ予約支援サーバ装置、コンテンツ予約支援システム、コンテンツ予約方法、コンテンツ予約支援方法及びプログラムを提供する。【解決手段】コンテンツ予約装置２０は、コンテンツの予約状況を表す第１の予約情報をコンテンツ支援サーバ装置３０に送信する。また、コンテンツ予約装置２０は、第１の予約情報に基づく第１の予約情報と予約内容の一致率が高い所定の条件を充足する他のコンテンツ予約装置２０における第２の予約情報を、コンテンツ予約支援サーバ装置３０から受信し、表示装置１０に表示する。【選択図】図１
2013239863.tif 000002
【特許請求の範囲】
【請求項１】
コンテンツの予約を行う予約設定部、
前記予約設定部によるコンテンツの予約状況を表す第１の予約情報を、コンテンツ支援サーバ装置に送信する第１の予約情報送信部、
前記第１の予約情報送信部が送信した前記第１の予約情報に基づく前記第１の予約情報と予約内容の一致率が高い所定の条件を充足する他のコンテンツ予約装置における第２の予約情報を、前記コンテンツ予約支援サーバ装置から受信する第１の予約情報受信部、
前記第１の予約情報受信部が受信した前記第２の予約情報を表示する表示処理部、
を備えることを特徴とするコンテンツ予約装置。
【請求項２】
前記第１の予約情報受信部は、前記第２の予約情報に加えて、前記第２の予約情報に対応する他のコンテンツ予約装置を特定する端末情報を受信し、
前記表示処理部は、前記端末情報に加えて前記端末情報に対応する第２の予約情報を表示する、
ことを特徴とする請求項１に記載のコンテンツ予約装置。
【請求項３】
前記予約設定部は、前記第２の予約情報に基づき、前記第１の予約情報との差分となるコンテンツの予約を行う、
ことを特徴とする請求項１または２に記載のコンテンツ予約装置。
【請求項４】
前記表示処理部は、前記第２の予約情報と前記第２の予約情報に対応する他のコンテンツ予約装置を特定する端末情報とを、前記一致率に順じて複数表示し、
前記予約設定部は、複数表示された前記第２の予約情報より選択された第２の予約情報に基づき、前記第１の予約情報との差分となるコンテンツの予約を行う、
ことを特徴とする請求項３に記載のコンテンツ予約装置。
【請求項５】
前記表示処理部は、前記第２の予約情報と前記第２の予約情報に対応する他のコンテンツ予約装置を特定する端末情報とを、前記一致率に順じて複数表示し、
前記予約設定部は、複数表示された前記第２の予約情報より選択された第２の予約情報に基づくコンテンツを、前記第１の予約情報に基づくコンテンツに代えて予約を行う、
ことを特徴とする請求項３に記載のコンテンツ予約装置。
【請求項６】
前記第２の予約情報に対応する他のコンテンツ予約装置と、コメントを送受信するコメント送受信部をさらに備える、
ことを特徴とする請求項１から５のいずれか１項に記載のコンテンツ予約装置。
【請求項７】
コンテンツ予約装置におけるコンテンツの予約状況を表す第１の予約情報を、複数のコンテンツ予約装置より受信する第２の予約情報受信部、
前記第２の予約情報受信部が受信した複数の前記第１の予約情報のうち、一の第１の予約情報に対して予約内容の一致率が高い所定の条件を充足する他の第１の予約情報を、前記一の第１の予約情報に対する第２の予約情報として選択する予約情報選択部、
前記予約情報選択部が選択した前記第２の予約情報を、前記一の第１の予約情報に対応するコンテンツ予約装置に送信する第２の予約情報送信部、
を備えることを特徴とするコンテンツ予約支援サーバ装置。
【請求項８】
前記第２の予約情報受信部は、前記第１の予約情報に加えて、前記コンテンツ予約装置を特定する端末情報を受信し、
前記第２の予約情報送信部は、前記第２の予約情報に加えて、前記第２の予約情報に対応するコンテンツ予約装置を特定する端末情報を送信する、
ことを特徴とする請求項７に記載のコンテンツ予約支援サーバ装置。
【請求項９】
前記第１の予約情報に対応するコンテンツ予約装置と、前記第２の予約情報に対応するコンテンツ予約装置との間でコメントを共有させるコメント共有部をさらに備える、
ことを特徴とする請求項７または８に記載のコンテンツ予約支援サーバ装置。
【請求項１０】
放送を受信して得られるコンテンツの予約を行う予約設定部、
前記予約設定部によるコンテンツの予約状況を表す第１の予約情報を、コンテンツ予約支援サーバ装置に送信する第１の予約情報送信部、
前記第１の予約情報送信部が送信した前記第１の予約情報に基づく前記第１の予約情報と予約内容の一致率が高い所定の条件を充足する他のコンテンツ予約装置における第２の予約情報を、前記コンテンツ予約支援サーバ装置から受信する第１の予約情報受信部、
前記第１の予約情報受信部が受信した前記第２の予約情報を表示する表示処理部、
を備えるコンテンツ予約装置と、
複数の前記コンテンツ予約装置から前記第１の予約情報を受信する第２の予約情報受信部、
前記第２の予約情報受信部により受信した複数の前記第１の予約情報のうち、一の第１の予約情報に対して予約内容の一致率が高い所定の条件を充足する他の第１の予約情報を、前記一の第１の予約情報に対する第２の予約情報として選択する予約情報選択部、
前記予約情報選択部が選択した前記第２の予約情報を、前記一の第１の予約情報に対応するコンテンツ予約装置に送信する第２の予約情報送信部、
を備えるコンテンツ予約支援サーバ装置と、
から構成されることを特徴とするコンテンツ予約支援システム。
【請求項１１】
コンテンツの予約を行い、
予約の状況を表す第１の予約情報を所定の送信先に送信し、
送信した前記第１の予約情報に基づく前記第１の予約情報と予約内容の一致率が高い所定の条件を充足する第２の予約情報を、前記送信先から受信し、
受信した前記第２の予約情報を表示する、
ことを特徴とするコンテンツ予約方法。
【請求項１２】
コンテンツの予約状況を表す第１の予約情報を複数ソースから受信し、
受信した複数の前記第１の予約情報のうち、一の第１の予約情報に対して予約内容の一致率が高い所定の条件を充足する他の第１の予約情報を第２の予約情報として選択し、
選択した前記第２の予約情報を送信する、
ことを特徴とするコンテンツ予約支援方法。
【請求項１３】
コンピュータに、
コンテンツの予約を行い、
予約の状況を表す第１の予約情報を所定の送信先に送信し、
送信した前記第１の予約情報に基づく前記第１の予約情報と予約内容の一致率が高い所定の条件を充足する第２の予約情報を、前記送信先から受信し、
受信した前記第２の予約情報を表示する、
処理を実行させることを特徴とするプログラム。
【請求項１４】
コンピュータに、
コンテンツの予約状況を表す第１の予約情報を複数ソースから受信し、
受信した複数の前記第１の予約情報のうち、一の第１の予約情報に対して予約内容の一致率が高い所定の条件を充足する他の第１の予約情報を第２の予約情報として選択し、
選択した前記第２の予約情報を送信する、
処理を実行させることを特徴とするプログラム。
【発明の詳細な説明】
【技術分野】
【０００１】
本発明は、コンテンツ予約装置、コンテンツ予約支援サーバ装置、コンテンツ予約支援システム、コンテンツ予約方法、コンテンツ予約支援方法及びプログラムに関する。
【背景技術】
【０００２】
コンテンツの配信元が、ユーザの嗜好に沿うコンテンツを推薦する技術が知られている。
【０００３】
このような技術の一例として、特許文献１には、ユーザによって指定されたキーワードにより各種番組情報を検索し、ユーザの嗜好に沿うコンテンツとして、ユーザに推薦する技術が開示されている。
【０００４】
また、特許文献２には、全てのレコーダのすべての録画予約数に基づくランキングデータを提供することによるコンテンツの推奨、個々のユーザが録画・予約した番組の番組情報からキーワードを抽出し、抽出したキーワードの出現回数から番組を抽出して推奨する方法、同じ番組を録画・予約している類似ユーザを検索し、類似ユーザが予約している番組を検索し、検索結果から、各類似ユーザに点数を付与し、点数を基に検索された番組に点数を付け、推薦データとして提供する方法、等が開示されている。
【先行技術文献】
【特許文献】
【０００５】
【特許文献１】特開２０００−２０１３３８号公報
【特許文献２】特開２００６−３１１０１０号公報
【発明の概要】
【発明が解決しようとする課題】
【０００６】
ユーザの嗜好に沿うコンテンツの中には、ユーザによって指定されたキーワードを含まないものも存在する。また、ユーザによって指定されたキーワードを含むコンテンツでも、ユーザの嗜好に沿っているとは限らない。従って、特許文献１に開示されている技術は、コンテンツを推薦する精度が低い。また、特許文献１に開示されている技術では、ユーザは、どのようなキーワードを入力すれば好みのコンテンツが推薦されるかを考え、そのキーワードを入力する必要があるため、煩雑な手間を要する。
【０００７】
また、全ユーザから集計したランキングを提示する方法では、ユーザの嗜好に合致した番組を見つけることはできない。また、自身の予約履歴を基に生成されたキーワードに基づく方法では、ユーザが予期していない新たな番組を見出すことは困難である。
【０００８】
また、類似ユーザを検出する方法にしても、機械的な点数付けによってお勧め番組を探しているだけなので、自分と同じ嗜好を持つユーザの発見やそのユーザとのつながり、そして情報を共有することができない。また、普段見ていない番組でもこの人が見ているのなら見てみようという新たな「気づき」が得られない。
【０００９】
本発明は、上記実情に鑑みてなされたものであり、ユーザの嗜好に合ったコンテンツを推奨することができ、また、嗜好の近い人を見つけて、新たな気づきを提供できるコンテンツ予約装置、コンテンツ予約支援サーバ装置、コンテンツ予約支援システム、コンテンツ予約方法、コンテンツ予約支援方法及びプログラムを提供することを目的とする。
【課題を解決するための手段】
【００１０】
上記目的を達成するために、本発明の第１の観点に係るコンテンツ予約装置は、
コンテンツの予約を行う予約設定部、
前記予約設定部によるコンテンツの予約状況を表す第１の予約情報を、コンテンツ支援サーバ装置に送信する第１の予約情報送信部、
前記第１の予約情報送信部が送信した前記第１の予約情報に基づく前記第１の予約情報と予約内容の一致率が高い所定の条件を充足する他のコンテンツ予約装置における第２の予約情報を、前記コンテンツ予約支援サーバ装置から受信する第１の予約情報受信部、
前記第１の予約情報受信部が受信した前記第２の予約情報を表示する表示処理部、
を備えることを特徴とする。
【００１１】
例えば、前記第１の予約情報受信部は、前記第２の予約情報に加えて、前記第２の予約情報に対応する他のコンテンツ予約装置を特定する端末情報を受信し、
前記表示処理部は、前記端末情報に加えて前記端末情報に対応する第２の予約情報を表示する、ように構成してもよい。
【００１２】
例えば、前記予約設定部は、前記第２の予約情報に基づき、前記第１の予約情報との差分となるコンテンツの予約を行う、ように構成してもよい。
【００１３】
例えば、前記表示処理部は、前記第２の予約情報と前記第２の予約情報に対応する他のコンテンツ予約装置を特定する端末情報とを、前記一致率に順じて複数表示し、
前記予約設定部は、複数表示された前記第２の予約情報より選択された第２の予約情報に基づき、前記第１の予約情報との差分となるコンテンツの予約を行う、ように構成してもよい。
【００１４】
例えば、前記表示処理部は、前記第２の予約情報と前記第２の予約情報に対応する他のコンテンツ予約装置を特定する端末情報とを、前記一致率に順じて複数表示し、
前記予約設定部は、複数表示された前記第２の予約情報より選択された第２の予約情報に基づくコンテンツを、前記第１の予約情報に基づくコンテンツに代えて予約を行う、ように構成してもよい。
【００１５】
例えば、前記第２の予約情報に対応する他のコンテンツ予約装置と、コメントを送受信するコメント送受信部をさらに備える、ように構成してもよい。
【００１６】
また、本発明の第２の観点に係るコンテンツ予約支援サーバ装置は、
コンテンツ予約装置におけるコンテンツの予約状況を表す第１の予約情報を、複数のコンテンツ予約装置より受信する第２の予約情報受信部、
前記第２の予約情報受信部が受信した複数の前記第１の予約情報のうち、一の第１の予約情報に対して予約内容の一致率が高い所定の条件を充足する他の第１の予約情報を、前記一の第１の予約情報に対する第２の予約情報として選択する予約情報選択部、
前記予約情報選択部が選択した前記第２の予約情報を、前記一の第１の予約情報に対応するコンテンツ予約装置に送信する第２の予約情報送信部、
を備えることを特徴とする。
【００１７】
例えば、前記第２の予約情報受信部は、前記第１の予約情報に加えて、前記コンテンツ予約装置を特定する端末情報を受信し、
前記第２の予約情報送信部は、前記第２の予約情報に加えて、前記第２の予約情報に対応するコンテンツ予約装置を特定する端末情報を送信する、ように構成してもよい。
【００１８】
例えば、前記第１の予約情報に対応するコンテンツ予約装置と、前記第２の予約情報に対応するコンテンツ予約装置との間でコメントを共有させるコメント共有部をさらに備える、ように構成してもよい。
【００１９】
また、本発明の第３の観点に係るコンテンツ予約支援システムは、
放送を受信して得られるコンテンツの予約を行う予約設定部、
前記予約設定部によるコンテンツの予約状況を表す第１の予約情報を、コンテンツ予約支援サーバ装置に送信する第１の予約情報送信部、
前記第１の予約情報送信部が送信した前記第１の予約情報に基づく前記第１の予約情報と予約内容の一致率が高い所定の条件を充足する他のコンテンツ予約装置における第２の予約情報を、前記コンテンツ予約支援サーバ装置から受信する第１の予約情報受信部、
前記第１の予約情報受信部が受信した前記第２の予約情報を表示する表示処理部、
を備えるコンテンツ予約装置と、
複数の前記コンテンツ予約装置から前記第１の予約情報を受信する第２の予約情報受信部、
前記第２の予約情報受信部により受信した複数の前記第１の予約情報のうち、一の第１の予約情報に対して予約内容の一致率が高い所定の条件を充足する他の第１の予約情報を、前記一の第１の予約情報に対する第２の予約情報として選択する予約情報選択部、
前記予約情報選択部が選択した前記第２の予約情報を、前記一の第１の予約情報に対応するコンテンツ予約装置に送信する第２の予約情報送信部、
を備えるコンテンツ予約支援サーバ装置と、
から構成されることを特徴とする。
【００２０】
また、本発明の第４の観点に係るコンテンツ予約方法は、
コンテンツの予約を行い、
予約の状況を表す第１の予約情報を所定の送信先に送信し、
送信した前記第１の予約情報に基づく前記第１の予約情報と予約内容の一致率が高い所定の条件を充足する第２の予約情報を、前記送信先から受信し、
受信した前記第２の予約情報を表示する、
ことを特徴とする。
【００２１】
また、本発明の第５の観点に係るコンテンツ予約支援方法は、
コンテンツの予約状況を表す第１の予約情報を複数ソースから受信し、
受信した複数の前記第１の予約情報のうち、一の第１の予約情報に対して予約内容の一致率が高い所定の条件を充足する他の第１の予約情報を第２の予約情報として選択し、
選択した前記第２の予約情報を送信する、
ことを特徴とする。
【００２２】
また、本発明の第６の観点に係るプログラムは、
コンピュータに、
コンテンツの予約を行い、
予約の状況を表す第１の予約情報を所定の送信先に送信し、
送信した前記第１の予約情報に基づく前記第１の予約情報と予約内容の一致率が高い所定の条件を充足する第２の予約情報を、前記送信先から受信し、
受信した前記第２の予約情報を表示する、
処理を実行させることを特徴とする。
【００２３】
また、本発明の第７の観点に係るプログラムは、
コンピュータに、
コンテンツの予約状況を表す第１の予約情報を複数ソースから受信し、
受信した複数の前記第１の予約情報のうち、一の第１の予約情報に対して予約内容の一致率が高い所定の条件を充足する他の第１の予約情報を第２の予約情報として選択し、
選択した前記第２の予約情報を送信する、
処理を実行させることを特徴とする。
【発明の効果】
【００２４】
本発明によれば、ユーザの嗜好に合ったコンテンツを推奨することができ、また、嗜好の近い人を見つけて、新たな気づきを提供できるコンテンツ予約装置、コンテンツ予約支援サーバ装置、コンテンツ予約支援システム、コンテンツ予約方法、コンテンツ予約支援方法及びプログラムを提供することができる。
【図面の簡単な説明】
【００２５】
【図１】実施の形態に係るコンテンツ予約支援システムの概略図である。
【図２】図１に示すコンテンツ予約装置のブロック図である。
【図３】コンテンツ予約装置における予約コンテンツリストの例を示す図である。
【図４】図１に示すコンテンツ予約支援サーバ装置のブロック図である。
【図５】コンテンツ予約支援サーバ装置における予約情報ＤＢの例を示す図である。
【図６】（ａ）は、コンテンツ予約装置における予約情報送信処理のフローチャートである。（ｂ）は、コンテンツ予約支援サーバ装置における予約情報取得処理のフローチャートである。
【図７】（ａ）は、コンテンツ予約装置における他ユーザ予約情報取得処理のフローチャートである。（ｂ）は、コンテンツ予約支援サーバ装置における予約情報選択送信処理のフローチャートである。
【図８】コンテンツ予約装置における予約処理のフローチャートである。
【図９】（ａ）は、コンテンツ予約装置における登録ユーザの予約情報取得処理のフローチャートである。（ｂ）は、コンテンツ予約支援サーバ装置における予約情報選択送信処理のフローチャートである。
【図１０】（ａ）と（ｂ）は、他ユーザの予約情報の表示例を示す図である。
【図１１】コメント付き予約情報の例を示す図である。
【図１２】コメント入力画面の例を示す図である。
【発明を実施するための形態】
【００２６】
以下、本発明の実施の形態にかかるコンテンツ予約支援システム１００について、図面を参照して説明する。以下の説明においては、コンテンツの予約の例として、コンテンツの記録予約を行う例として説明するが、コンテンツの視聴予約に対しても適用可能である。
【００２７】
（実施の形態１）
実施の形態１に係るコンテンツ予約支援システム１００は、図１に示すように、複数の表示装置１０（１０−１〜１０−Ｎ）、複数のコンテンツ予約装置２０（２０−１〜２０−Ｎ）、コンテンツ予約支援サーバ装置３０、から構成され、コンテンツ予約支援サーバ装置３０からコンテンツ予約装置２０に、そのユーザと同様の嗜好を有する他のユーザの予約情報を提供するシステムである。
【００２８】
表示装置１０は、液晶表示パネル、ＥＬ（Electro Luminescence）パネル、ＣＲＴ（Cathode Ray Tube）ディスプレイ、等を備え、映像等（コンテンツ）を表示する。なお、表示装置１０は、ＴＶ（Television)装置、モニタ装置などから構成されてもよい。また、表示装置１０は、コンテンツ予約装置２０に接続されているが、表示装置１０は、コンテンツ予約装置２０と一体に構成されていてもよい。
【００２９】
コンテンツ予約装置２０は、コンテンツ（放送番組）の受信、記録、視聴予約、記録予約、再生等が可能な装置であり、図２に示すように、制御部２００、通信部２４、操作部２５、記憶部２６、受信部２７、表示制御部２８等を備える。なお、ここで言う記録とは、放送されたコンテンツの録画または録音である。
【００３０】
制御部２００は、ＣＰＵ（Central Processing Unit）２１、ＲＯＭ（Read Only Memory）２２、ＲＡＭ（Random Access Memory）２３を備える。
【００３１】
ＣＰＵ２１は、ＲＯＭ２２に格納されているプログラムを実行することにより、制御部２００としてコンテンツ予約装置２０の各種動作、例えば、コンテンツ予約動作、コンテンツ記録動作、コンテンツ推奨動作、コンテンツ再生動作、コメント作成・交換動作等を制御し、各種データを処理する。
【００３２】
ＲＯＭ２２は、ＣＰＵ２１の動作プログラムやデータを記憶している。ＲＡＭ２３は、ＣＰＵ２１のワークエリアとして機能する。
【００３３】
通信部２４は、コンテンツ予約支援サーバ装置３０にネットワーク等を介して接続するインターフェースであり、制御部２００の制御に基づいて、コンテンツ予約支援サーバ装置３０との間でデータの送受信を行う。
【００３４】
操作部２５は、キー、ボタン、タッチパネル等から構成される、コンテンツ予約装置２０の入力装置である。ユーザは、操作部２５を介して入力操作を行うことによって、コンテンツの視聴、予約、ユーザの嗜好に沿うコンテンツの要求等、コンテンツ予約装置２０の各種操作を行うことができる。
【００３５】
記憶部２６は、例えばＨＤＤ（Hard Disk Drive）や各種メモリ装置により構成され、種々のデータを記憶する。例えば、記憶部２６は、予約コンテンツリスト２６ａ、装置識別情報（装置ＩＤ）２６ｂ、ニックネーム２６ｃ、記録済コンテンツ２６ｄ等を格納している。
【００３６】
予約コンテンツリスト２６ａは、ユーザの入力操作によって予約（視聴予約、記録予約等）されたコンテンツ（放送番組等）のリストであり、図３に示すように、このコンテンツ予約装置２０の予約情報、即ち、予約されたコンテンツＩＤ（Identification）、コンテンツ名、そのコンテンツの放送予定日時、放送方式（例えば、地上デジタルテレビ放送、ＢＳ（Broadcasting Satellite）放送、ＣＳ（Communicating Satellite）放送等）を示す情報等）、放送チャンネル、出演者、解説等の説明データ（メタデータ）等を含む。
【００３７】
装置ＩＤ２６ｂは、このコンテンツ予約装置２０の識別情報である。このデータは、工場出荷時にデフォルトで設定されていてもよいし、操作部２５を介したユーザの入力操作によって任意に設定されてもよい。
【００３８】
ニックネーム２６ｃは、コンテンツ予約装置２０のユーザの識別情報であり、情報交換などの際に、ユーザを識別・特定するために表示される。
【００３９】
記録済コンテンツ２６ｄは、このコンテンツ予約装置２０が記録（録画、録音）したコンテンツのデータである。
【００４０】
受信部２７は、地上波チューナ、衛星放送チューナなどを備え、地上波放送、衛星放送などを受信し、コンテンツ（番組）を復調する。
【００４１】
表示制御部２８は、制御部２００の制御に基づき、表示装置１０へコンテンツ等の映像データに基づく映像信号を出力する。表示制御部２８は、映像データをデコードする機能を含んでもよい。
【００４２】
図１に示すコンテンツ予約支援サーバ装置３０は、インターネット回線等を介して、コンテンツ予約装置２０に接続され、コンテンツ予約装置２０から、そのコンテンツ予約装置２０で予約されたコンテンツの情報（第１の予約情報）を収集し、ユーザ間の予約の類似度を求めて、類似度の高いユーザの予約情報（第２の予約情報）を提供する。
【００４３】
コンテンツ予約支援サーバ装置３０は、図４に示すように、制御部３００、通信部３４、記憶部３５、を備える。
【００４４】
制御部３００は、ＣＰＵ３１、ＲＯＭ３２、ＲＡＭ３３を備える。
【００４５】
ＣＰＵ３１は、ＲＯＭ３２に格納されているプログラムを実行することにより制御部３００として、コンテンツ予約支援サーバ装置３０の動作を制御する。具体的には、制御部３００は、ｉ）コンテンツ予約装置２０より、各コンテンツ予約装置２０の予約の状況を示す第１の予約情報を収集し、記憶部３５に記憶し、ｉｉ）要求のあったユーザについて、そのユーザの予約情報と他のユーザの予約情報を比較し、一致率を求め、一致率の高い所定の条件を満たすユーザの予約情報（第２の予約情報）を、そのコンテンツ予約装置２０に送信する制御を行う、等の動作を行う。
【００４６】
ＲＯＭ３２は、ＣＰＵ３１の動作プログラムやデータを記憶している。ＲＡＭ３３は、ＣＰＵ３１のワークエリアとして機能する。
【００４７】
通信部３４は、各コンテンツ予約装置２０に接続されており、コンテンツ予約支援サーバ装置３０と各コンテンツ予約装置２０との間でデータの送受信を行う。
【００４８】
記憶部３５は、例えばＨＤＤ（Hard Disk Drive）や各種メモリ装置により構成され、予約情報ＤＢ３５ａ等を格納している。
【００４９】
予約情報ＤＢ３５ａは、各コンテンツ予約装置２０から収集した予約情報（第１の予約情報）のデータベースであり、図５に示すように、装置ＩＤ別に、予約情報を格納している。
【００５０】
次に、上記構成を有するコンテンツ予約支援システム１００の動作を説明する。
【００５１】
まず、コンテンツ予約装置２０の基本動作として、コンテンツの記録予約及び記録（録画・録音）の動作について説明する。
【００５２】
まず、ユーザは、予め配信されているＥＰＧ（Electrical Program Guide)等を参照して、コンテンツ予約装置２０の操作部２５を操作し、コンテンツＩＤを特定する等の操作により、コンテンツの記録予約を設定する。コンテンツ予約装置２０の制御部２００は、予約されたコンテンツの情報（コンテンツＩＤ、コンテンツ名、放送予定日時、放送チャンネル、メタ情報（ジャンル、出演者、解説等）の情報を図３に例示する予約コンテンツリスト２６ａに追加登録する。
【００５３】
制御部２００は、図示せぬＲＴＣ（Real Time Clock）タイマの計時する現在時刻と、予約コンテンツリスト２６ａに登録されている放送予定日時とを比較し、一致すると、受信部２７を制御して、該当するコンテンツ（番組）を受信・再生し、記憶部２６に記録済コンテンツ２６ａとして記録する。
【００５４】
また、制御部２００は、記録が終了すると、記録が終了したコンテンツに関する予約情報を予約コンテンツリスト２６ａから削除する。
【００５５】
また、制御部２００は、操作部２５からコンテンツを特定して再生が指示されると、記憶部２６から特定された記録済コンテンツ２６ｄを読み出し、その映像信号を、表示制御部２８を介して表示装置１０に供給し、表示させる。
【００５６】
コンテンツ予約装置２０は、上述の一般的な、予約・記録・再生の処理を実行する一方で、コンテンツ予約支援サーバ装置３０と協働して、予約対象候補コンテンツをユーザに推奨する処理を適宜行う。
【００５７】
以下、図６を参照して、予約対象候補コンテンツを推奨する処理のうち、コンテンツ予約装置２０が、予約情報をコンテンツ予約支援サーバ装置３０に送信し、コンテンツ予約支援サーバ装置３０が、予約情報を取得する動作について説明する。図６（ａ）は、コンテンツ予約装置２０における予約情報送信処理のフローチャートであり、図６（ｂ）コンテンツ予約支援サーバ装置における予約情報取得処理のフローチャートである。
【００５８】
コンテンツ予約装置２０の制御部２００は、電源がオンされている間、図６（ａ）に示す予約情報送信処理を実行し、所定の予約情報を送信タイミングであるか否かを周期的にチェックする（ステップＡ１１）。送信タイミングではないと判別された場合（ステップＡ１１；Ｎｏ），ステップＡ１１の処理を繰り返す。
【００５９】
一方、送信タイミングであると判別した場合（ステップＡ１１；Ｙｅｓ）、制御部２００は、その時点で、記憶部２６に格納されている予約コンテンツリスト２６ａを読み出し（ステップＡ１２）、その時点での予約の状況を示す第１の予約情報を生成し、通信部２４を介して、コンテンツ予約支援サーバ装置３０に送信する（ステップＡ１３）。
【００６０】
ここで、送信タイミングは、例えば、前回の送信から一定時間が経過したこと、定時になったこと、あるコンテンツの予約録画が終了したこと、他ユーザの予約情報の取得の指示があったとき、等任意である。
【００６１】
ステップＡ１３で送信する第１の予約情報は、予約コンテンツリスト２６ａそのものである必要はない。ただし、少なくともコンテンツ（番組）を特定できる必要があり、コンテンツＩＤを含むことが望ましい。また、送信する情報は、装置ＩＤ２６ｂとニックネーム２６ｃ等を含む。
【００６２】
コンテンツ予約支援サーバ装置３０の制御部３００は、図６（ｂ）に示す予約情報取得処理を実行し、複数のコンテンツ予約装置２０から予約情報を取得する。先ず、コンテンツ予約支援サーバ装置３０の制御部３００は、コンテンツ予約装置２０から第１の予約情報を受信したか否かを判断する（ステップＡ２１）。具体的には、通信部３４を介して、第１の予約情報に加えて、機器ＩＤ、ニックネームを受信したか否かを判断する。
【００６３】
受信していないと判断した場合は（ステップＡ２１；Ｎｏ）、ステップＡ２１の処理を繰り返す。受信したと判断した場合は（ステップＡ２１；Ｙｅｓ）、受信した第１の予約情報、機器ＩＤおよびニックネームを、予約情報ＤＢ３５ａに格納する。複数のコンテンツ予約装置２０が各々上述の予約情報送信処理を繰り返す結果、予約情報ＤＢ３５ａには、各コンテンツ予約装置２０の比較的新しい予約情報が更新されながら格納される。
【００６４】
次に、図７を参照して、予約対象候補コンテンツを推奨する処理のうち、コンテンツ予約装置２０が、他ユーザの予約情報の取得要求を行い、コンテンツ予約支援サーバ装置３０が、コンテンツ予約装置２０の要求に基づき一致率の高い予約情報をコンテンツ予約装置２０に提供する動作について説明する。図７（ａ）は、コンテンツ予約装置２０における他ユーザ予約情報取得処理のフローチャートであり、図７（ｂ）は、コンテンツ予約支援サーバ装置３０における予約情報選択送信処理のフローチャートである。
【００６５】
まず、コンテンツ予約装置２０のユーザは、コンテンツの推薦（ユーザの嗜好に沿うコンテンツをコンテンツ予約支援サーバ装置３０に推薦させる）を希望する場合、操作部２５を操作して、コンテンツ推薦要求を入力する。
【００６６】
この操作に応答して、制御部２００は、図７（ａ）に示す他ユーザの予約情報取得処理を開始し、通信部２４を介して、装置ＩＤとニックネーム及び予約情報取得要求をコンテンツ予約支援サーバ装置３０に送信する（ステップＢ１１）。このとき、自己の予約情報を送信してもよい。
【００６７】
コンテンツ予約支援サーバ装置３０の制御部３００は、図７（ｂ）に示す予約情報選択送信処理を実行しており、装置ＩＤと共に予約情報の取得要求を、通信部３４を介して受信する（ステップＢ２１）。次に、制御部３００は、要求を送信してきたコンテンツ予約装置の最新の予約情報を、コンテンツ予約装置２０と交信して取得する（ステップＢ２２）。なお、要求に最新の予約情報が添付されている場合には、このステップＢ２２をスキップする。
【００６８】
続いて、制御部３００は、今回受信した装置ＩＤで特定される要求元の予約情報（第１の予約情報）に含まれるコンテンツと、記憶部３５の予約情報ＤＢ３５ａに格納されている他の装置ＩＤ２６ｂで特定されるコンテンツ予約装置２０の各予約情報に含まれるコンテンツとの一致率を求める（ステップＢ２３）。
【００６９】
なお、一致率の計算方法自体は任意である。例えば、装置ＩＤ０１の予約情報に含まれるコンテンツがＡ，Ｂ、Ｃ、Ｄの４つ、装置ＩＤ０２の予約情報に含まれるコンテンツがＡ，Ｂ、Ｙの３つとすれば、コンテンツＡとコンテンツＢが両装置の間で一致しており、一致率は、（２＋２）／（４＋３）＝（４）／（４＋３）＝４／７と計算される。また、（２）／（４＋３）＝２／７と計算してもよい。さらに、統計学上のκ（カッパ）統計量等を使用してもよい。
【００７０】
制御部３００は、求めた一致率の高いもののうち、所定の条件を充足するもの、例えば、上位Ｎ個に入ること、あるいは、所定の閾値以上であること、等を充足するものを選択する（ステップＢ２４）。
【００７１】
制御部３００は、選択した一致率と対応する予約情報とを、通信部３４を介して、コンテンツ予約装置２０に送信する（ステップＢ２５）。送信する予約情報には、対応するニックネームを含める。
【００７２】
コンテンツ予約装置２０の制御部２００は、コンテンツ予約支援サーバ装置３０から送信された一致率及び予約情報を、通信部２４を介して受信し（ステップＢ１２）、これを記憶部２６に記憶し（ステップＢ１３）、続いて、例えば、図１０（ａ）に示すように、対応する表示装置１０に表示する（ステップＢ１４）。
【００７３】
図１０（ａ）の表示例では、一致率が高いほうから第１位から第６位に位置する予約情報のユーザのニックネームと、一致率と、その予約情報に含まれている記録予約の件数が、表示される。また、画面の下部には、操作ボタンが表示されている。
【００７４】
ユーザは、操作部２５を操作して、任意の予約情報を選択する。表示された予約情報のうちに、任意のものが選択され、「詳細表示」のボタンが操作されると、制御部２００は、表示制御部２８に、選択された予約情報の詳細（番組名、放送チャンネル、放送日時）の一覧が図１０（ｂ）に示すように、表示装置１０に表示させる。
【００７５】
ユーザは、これらの表示から、自分と嗜好が類似する匿名のユーザの予約情報を知ることができる。また、ユーザは、これらの情報を参考に、任意のコンテンツに対しての視聴や記録の予約をすることができる。
【００７６】
コンテンツ予約装置２０において、このようにして取得した他のユーザの予約情報に基づく予約動作を、図８を参照して説明する。
【００７７】
例えば、図１０（ａ）、（ｂ）の画面が表示されると、制御部２００は、図８に示す予約処理を開始し、入力操作に応じた予約を行う。図１０（ａ）、（ｂ）は、表示装置１０の表示画面１１における表示例である。
【００７８】
まず、図１０（ａ）の画面でいずれかのローを選択した状態或いは図１０（ｂ）の画面で画面右下に配置されている「差分予約」が選択されると、選択が検出され（ステップＣ１１）、「差分予約」であると判別され（ステップＣ１２；Ｙｅｓ）、制御部２００は、予約コンテンツリスト２６ａに現在登録されているコンテンツと選択した予約情報に含まれているコンテンツとの差分を取り、差分を現在の予約コンテンツリスト２６ａに追加する形態で、コンテンツの聴取または記録が予約される（ステップＣ１３）。
【００７９】
例えば、予約コンテンツリスト２６ａに予約登録されているコンテンツ（番組）がＰＡ，ＰＢ、ＰＣであり、選択した予約情報に含まれているコンテンツがＰＢ、ＰＣ、ＰＤとすると、その差分は、ＰＤに相当する。このため、制御部２００は、予約コンテンツリスト２６ａにすでに登録されているコンテンツＰＡ、ＰＢ、ＰＣに、ＰＤを追加する。このため、ユーザは、自分が元々気づいていたコンテンツ（番組）に加えて、自分と類似の嗜好を有するユーザの予約情報に基づいて、自分の気づいていなかったコンテンツを予約することができる。
【００８０】
一方、図１０（ａ）の画面でいずれかのローを選択した状態或いは図１０（ｂ）の画面で画面右下に配置されている「一致予約」が選択されると、選択が検出され（ステップＣ１１）、「一致予約」であると判別され（ステップＣ１２；Ｎｏ、Ｃ１４；Ｙｅｓ）、制御部２００は、予約コンテンツリスト２６ａに現在登録されているコンテンツを消去し、選択した予約情報に含まれているコンテンツの聴取または記録が予約される（ステップＣ１５）。即ち、選択したユーザの予約に、自己の予約を一致させる。
【００８１】
例えば、予約コンテンツリスト２６ａに予約登録されているコンテンツがＰＡであり、選択した予約情報に含まれているコンテンツがＰＢ、ＰＣ、ＰＤとすると、記録予約は、ＰＢ、ＰＣ、ＰＤとなる。このため、ユーザは、自分と類似の嗜好を有するユーザの予約をそのまま楽しむことができる。
【００８２】
また、例えば、図１０（ｂ）の画面で、いずれかのコンテンツを選択した状態で「予約」が指定された場合、選択が検出され（ステップＣ１１）、「予約」であると判別され（ステップＣ１２；Ｎｏ、Ｃ１４；Ｎｏ；Ｃ１６；Ｙｅｓ）、制御部２００は、予約コンテンツリスト２６ａに現在登録されているコンテンツに、そのコンテンツの予約を追加する。
【００８３】
こうして、ユーザは、自分と同様の嗜好を持つ他のユーザが発見したコンテンツを吟味した上で、自己の好みにあうコンテンツを予約対象とすることが可能となる。ここで追加されたコンテンツの予約は、ユーザが操作部２５の操作によって、記録予約と視聴予約を選択することができる。また、選択したユーザの予約が記録予約であった場合には、追加された予約も記録予約とするなど、選択したユーザの予約に合わせてもよい。また、選択したユーザ毎に、記録予約と視聴予約を対応付けてもよい。
【００８４】
一方で、自分の予約情報がその相手にも伝わるため、自分の予約した相手の知らないコンテンツが相手に提示されることとなり、その人との繋がりを感じることができる。また、普段見ていない番組でもこの人が見ているのなら見てみようという新たな”気づき”が得られる。
【００８５】
これらの動作を繰り返すうちに、嗜好が似ている或いはその嗜好に興味がもてるというユーザが存在することがある。このような場合には、そのユーザの予約情報を取得したいと思うことがある。このような場合、例えば、図１０（ａ）、（ｂ）の画面で、ユーザは登録ボタンを操作する。この操作に応じて、制御部２００は、選択されているユーザの装置ＩＤとニックネームを記憶部２５に登録ユーザとして記録する。
【００８６】
そして、ユーザが、登録ユーザの予約情報の取得を指示すると、制御部２００は、コンテンツ予約支援サーバ装置３０と協働してその登録ユーザの予約情報を取得する。ただし、この場合、一致率の計算などは行わない。また、登録されているユーザのうち、一部のユーザを指定して予約情報を取得することも可能である。
【００８７】
以下、図９を参照して、予約対象候補コンテンツを推奨する処理のうち、コンテンツ予約装置２０が、コンテンツ予約支援サーバ装置３０より、登録ユーザの予約情報を取得する動作について説明する。図９（ａ）は、コンテンツ予約装置２０における登録ユーザの予約情報取得処理のフローチャートである。図９（ｂ）は、コンテンツ予約支援サーバ装置３０における予約情報選択送信処理のフローチャートである。
【００８８】
登録ユーザの予約情報取得処理は、コンテンツ予約装置２０の表示装置に、予め登録された登録ユーザが選択可能に表示されていることが前提である。表示されている登録ユーザは、単数であっても複数であってもよい。コンテンツ予約装置２０のユーザは、操作部２５を操作することによって、登録ユーザを選択するとともに、選択した登録ユーザの予約情報を取得する操作を行う。
【００８９】
操作部２５を介した入力操作によって、登録ユーザが選択されると、制御部２００は、登録ユーザの予約情報取得要求を、コンテンツ予約支援サーバ装置３０に送信する（ステップＤ１１）。
【００９０】
コンテンツ予約支援サーバ装置３０は、コンテンツ予約装置２０からの予約情報取得要求を逐次受信可能な状態となっており、予約情報取得要求を受信することによって（ステップＤ２１；Ｙｅｓ）、予約情報選択送信処理を開始する。
【００９１】
ステップＤ２１において、予約情報取得要求を受信した場合、制御部３００は、要求のあったコンテンツ予約装置における最新の予約情報を取得する（ステップＤ２２）。
【００９２】
制御部３００は、ステップＤ２２において取得した予約情報を、通信部３４を用いてコンテンツ予約装置２０に送信する（ステップＤ２３）。
【００９３】
コンテンツ予約装置２０は、ステップＤ２３においてコンテンツ予約支援サーバ装置３０より送信された予約情報を、通信部２４を用いて受信し（ステップＤ１２）、制御部２００の制御によって受信した予約情報を記憶部２６に記憶する（ステップＤ１３）。また、受信した予約情報を、表示装置１０に表示させる（ステップＤ１４）。
【００９４】
このような処理によって、選択した登録ユーザの予約情報を反映させた予約を行うことができる。
【００９５】
このようなユーザの登録を行う場合、コンテンツ予約支援サーバ装置３０に予約情報を送信する際に、他のユーザによる登録を許可するか否かを選択可能としてもよい。また、他のユーザからの登録要求がある場合、コンテンツ予約支援サーバ装置３０を介して登録を許可するか否かの問い合わせが表示され、登録の許可または非許可を選択可能としてもよい。
【００９６】
上記のような動作を繰り返すうちに、一種のコミュニティが形成される場合がある。このような場合には、コメントや意見の交換が可能となれば、より楽しむことができる。コメントやメッセージの交換の手法は任意であるが、例えば、当事者同士でメッセージを交換する方法や、掲示板を設けて、掲示板を介して意見交換が可能である。
【００９７】
例えば、図１１に示すように、送信対象の予約情報に、個々のコンテンツや予約情報全体へのコメント欄を設け、ユーザがここにコメントを任意に付加するようにしてもよい。この予約録情報を第２の予約情報として受信したユーザは、コメントを参照でき、さらに、自己の予約情報にコメントを付加することで応答することもできる。
【００９８】
また、図１２に示すように、特定のニックネームを有するユーザ、あるコンテンツを予約しているユーザ宛へのコメントの入力を受け付け、これをコンテンツ予約支援サーバ装置３０に送信し、コンテンツ予約支援サーバ装置３０が該当するユーザ又はコンテンツ予約装置２０にコメントを配信し、関連する掲示板にコメントを貼付する等してもよい。
【００９９】
なお、この発明は上記実施の形態に限定されず、種々の変形及び応用が可能である。
【０１００】
例えば、予約情報の外部への公開を許可したユーザについてのみ、上述のサービスを利用できるようにしてもよい。
【０１０１】
また、コンピュータがプログラムを実行することで、コンテンツ予約装置２０およびコンテンツ予約支援サーバ装置３０の機能を実現してもよい。コンテンツ予約装置２０およびコンテンツ予約支援サーバ装置３０の機能を実現するためのプログラムは、フレキシブルディスク、ＣＤ−ＲＯＭ（Compact Disc Read Only Memory）、ＤＶＤ（Digital Versatile Disc）、等のコンピュータ読み取り可能な記録媒体に記憶されてもよいし、ネットワークを介してコンピュータにダウンロードされてもよい。
【符号の説明】
【０１０２】
１０    …表示装置
２０    …コンテンツ予約装置
２１    …ＣＰＵ
２２    …ＲＯＭ
２３    …ＲＡＭ
２４    …通信部
２５    …操作部
２６    …記憶部
２６ａ  …予約コンテンツリスト
２６ｂ  …装置ＩＤ
２６ｃ  …ニックネーム
２６ｄ  …記録済コンテンツ
２７    …受信部
２８    …表示制御部
３０    …コンテンツ予約支援サーバ装置
３１    …ＣＰＵ
３２    …ＲＯＭ
３３    …ＲＡＭ
３４    …通信部
３５    …記憶部
３５ａ  …予約情報ＤＢ
１００  …コンテンツ予約支援システム
【図１】
2013239863.tif 000003
【図２】
2013239863.tif 000004
【図３】
2013239863.tif 000005
【図４】
2013239863.tif 000006
【図５】
2013239863.tif 000007
【図６】
2013239863.tif 000008
【図７】
2013239863.tif 000009
【図８】
2013239863.tif 000010
【図９】
2013239863.tif 000011
【図１０】
2013239863.tif 000012
【図１１】
2013239863.tif 000013
【図１２】
2013239863.tif 000014